(57)【要約】  ガスクロマトグラフは、本体と、検出器４と、表示器１１と、表示処理部１３２とを備えている。表示器１１は、本体に設けられている。また、表示器１１には、タッチパネル式の表示画面が含まれている。そして、表示処理部１３２は、検出器４からの検出信号に基づいて、表示画面における第１グラフ領域内にクロマトグラムを表示させるとともに、作業者による第１グラフ領域に対するタッチ操作に基づいて、第１グラフ領域内の表示を変更する。
2017115443.tif 000002
【特許請求の範囲】
【請求項１】
本体と、
前記本体に設けられ、試料を検出して検出信号を出力する検出器と、
前記本体に設けられ、タッチパネル式の表示画面を有する表示器と、
前記検出器からの検出信号に基づいて、前記表示画面におけるグラフ領域内にクロマトグラムを表示させるとともに、前記表示画面における前記グラフ領域に対するタッチ操作に基づいて、当該グラフ領域内の表示を変更する表示処理部とを備えることを特徴とするクロマトグラフ。
【請求項２】
前記表示処理部は、前記表示画面における前記グラフ領域に対するタッチ操作に基づいて、当該グラフ領域内に表示されているクロマトグラムを拡大表示又は縮小表示させることを特徴とする請求項１に記載のクロマトグラフ。
【請求項３】
前記表示処理部は、前記表示画面における前記グラフ領域に対するタッチ操作に基づいて、当該グラフ領域内に表示されているクロマトグラムと別のクロマトグラムとを重ねて表示させることを特徴とする請求項１に記載のクロマトグラフ。
【請求項４】
前記表示処理部は、前記検出器からの検出信号に基づいて、前記表示画面における前記グラフ領域内にクロマトグラムをリアルタイムで変化させながら表示させるとともに、前記表示画面における前記グラフ領域に対するタッチ操作に基づいて、クロマトグラムの変化を停止させ、その後の当該グラフ領域に対するタッチ操作に基づいて、当該グラフ領域内の表示を変更することを特徴とする請求項１に記載のクロマトグラフ。
【請求項５】
前記表示処理部は、前記表示画面における前記グラフ領域内のクロマトグラムの表示を停止させた後、当該グラフ領域に対するタッチ操作が一定時間行われない場合に、クロマトグラムの変化を再開させることを特徴とする請求項４に記載のクロマトグラフ。
【発明の詳細な説明】
【技術分野】
【０００１】
本発明は、検出器からの検出信号に基づいて得られるクロマトグラムを表示画面に表示させるクロマトグラフに関するものである。
【背景技術】
【０００２】
通常、クロマトグラフには、パーソナルコンピュータにより構成されるデータ処理装置が接続されている。データ処理装置には、クロマトグラフに備えられた検出器からの検出信号が入力され、その検出信号に基づいてデータ処理装置が演算を行うことにより、クロマトグラムが得られる（例えば、下記特許文献１参照）。【０００３】
このようにして得られたクロマトグラムは、クロマトグラフとは別個に設けられた表示器に表示される。表示器は、作業者がデータを確認しやすいように、比較的大きい表示画面を有している。
【先行技術文献】
【特許文献】
【０００４】
【特許文献１】特許第５２０６５０４号公報
【発明の概要】
【発明が解決しようとする課題】
【０００５】
上記のような従来のクロマトグラフでは、データ処理装置を起動した状態でなければ、作業者がデータを確認することができない。そのため、分析中はデータ処理装置を常時起動させておく必要があり、分析時間が長時間になる場合には、消費電力が大きくなってしまうという不具合が生じる。また、クロマトグラフに対する作業を行う作業者にとっては、クロマトグラフの本体においてデータの確認を行うことができる方が便利な場合もある。【０００６】
そこで、データ処理するためのデータ処理部、及び、表示器をクロマトグラフの本体に設けることが検討される。しかし、クロマトグラフの本体には、大きな表示画面を有する表示器を設けるだけのスペースを確保することが困難である。そのため、クロマトグラフの本体においてクロマトグラムの詳細を確認したり、複数回の分析結果を比較しながら確認したりすることは困難であった。【０００７】
本発明は、上記実情に鑑みてなされたものであり、検出器からの検出信号に基づいて表示されるクロマトグラムの詳細な確認作業を本体において容易に行うことができるクロマトグラフを提供する。
【課題を解決するための手段】
【０００８】
（１）本発明に係るクロマトグラフは、本体と、検出器と、表示器と、表示処理部とを備える。前記検出器は、前記本体に設けられ、試料を検出して検出信号を出力する。前記表示器は、前記本体に設けられ、タッチパネル式の表示画面を有する。前記表示処理部は、前記検出器からの検出信号に基づいて、前記表示画面におけるグラフ領域内にクロマトグラムを表示させるとともに、前記表示画面における前記グラフ領域に対するタッチ操作に基づいて、当該グラフ領域内の表示を変更する。【０００９】
このような構成によれば、作業者は、本体に設けられたタッチパネル式の表示画面に対してタッチ操作を行うのみで、表示画面におけるグラフ領域内の表示を変更しながら、その表示画面において変更後のグラフ領域を確認できる。
そのため、グラフ領域内に表示されるクロマトグラムの詳細な確認作業を、本体において容易に行うことができる。【００１０】
（２）また、前記表示処理部は、前記表示画面における前記グラフ領域に対するタッチ操作に基づいて、当該グラフ領域内に表示されているクロマトグラムを拡大表示又は縮小表示させてもよい。【００１１】
このような構成によれば、グラフ領域内に表示されるクロマトグラムにおける注目すべき部分を拡大表示させることで、その部分の詳細を本体において容易に確認できる。また、グラフ領域内に表示されるクロマトグラムを縮小表示させることで、クロマトグラムの全体を本体において容易に確認できる。【００１２】
（３）また、前記表示処理部は、前記表示画面における前記グラフ領域に対するタッチ操作に基づいて、当該グラフ領域内に表示されているクロマトグラムと別のクロマトグラムとを重ねて表示させてもよい。
このような構成によれば、グラフ領域内に表示されているクロマトグラムと、別のクロマトグラムとの比較を本体において容易に行うことができる。【００１３】
（４）また、前記表示処理部は、前記検出器からの検出信号に基づいて、前記表示画面における前記グラフ領域内にクロマトグラムをリアルタイムで変化させながら表示させるとともに、前記表示画面における前記グラフ領域に対するタッチ操作に基づいて、クロマトグラムの変化を停止させ、その後の当該グラフ領域に対するタッチ操作に基づいて、当該グラフ領域内の表示を変更してもよい。【００１４】
このような構成によれば、グラフ領域内において変化するクロマトグラムをリアルタイムで表示できるとともに、グラフ領域に対してタッチ操作を行うことにより、クロマトグラムの変化を停止させて、グラフ領域内の表示を変更できる。【００１５】
そのため、リアルタイムでクロマトグラムを表示できながら、クロマトグラムの詳細な確認作業を行う際には、クロマトグラムの変化を停止させて確認しやすくすることができる。【００１６】
（５）また、前記表示処理部は、前記表示画面における前記グラフ領域内のクロマトグラムの表示を停止させた後、当該グラフ領域に対するタッチ操作が一定時間行われない場合に、クロマトグラムの変化を再開させてもよい。【００１７】
このような構成によれば、グラフ領域内において、停止したクロマトグラムが長時間表示されることを抑制できる。また、クロマトグラムの変化を再開させるための操作を行わなくてもよいため、確認作業がさらに容易になる。
【発明の効果】
【００１８】
本発明によれば、表示画面に対するタッチ操作のみでグラフ領域内の表示を変更できる。また、その表示画面において変更後のグラフ領域を確認できる。そのため、検出器からの検出信号に基づいて表示されるクロマトグラムの詳細な確認作業を本体において容易に行うことができる。
【図面の簡単な説明】
【００１９】
【図１】本発明の一実施形態に係るガスクロマトグラフの構成例を示した概略図である。
【図２】図１のガスクロマトグラフの制御部、及び、その周辺の部材の具体的構成を示したブロック図である。
【図３】基本画面の状態の表示画面の表示態様の一例を示した概略図である。
【図４】制御部による処理の一例を示したフローチャートである。
【図５】編集モードの状態の表示画面の表示態様の一例であって、拡大画面を表示する例を示した概略図である。
【図６】編集モードの状態の表示画面の表示態様の一例であって、クロマトグラムを縮小表示する例を示した概略図である。
【図７】比較モードの状態の表示画面の表示態様の一例であって、表示画面が比較モードとなった直後の状態を示した概略図である。
【図８】比較モードの状態の表示画面の表示態様の一例であって、第１グラフ領域において、分析中のクロマトグラムに対して前回分析時のクロマトグラムを重ねて表示する状態を示した概略図である。
【図９】比較モードの状態の表示画面の表示態様の一例であって、第２グラフ領域において、クロマトグラムの一部が選択される状態を示した概略図である。
【図１０】比較モードの状態の表示画面の表示態様の一例であって、第１グラフ領域において、分析中のクロマトグラムに対して前回分析時のクロマトグラムの一部を重ねて表示する状態を示した概略図である。
【発明を実施するための形態】
【００２０】
１．ガスクロマトグラフの全体構成
図１は、本発明の一実施形態に係るガスクロマトグラフの構成例を示した概略図である。このガスクロマトグラフは、キャリアガスとともに試料ガスをカラム１内に供給することにより分析を行うためのものであり、上記カラム１以外に、カラムオーブン２、試料導入部３、検出器４、及び、これらを収容する中空状の本体１０などを備えている。
カラム１は、例えば、キャピラリカラムからなる。カラム１は、ヒータ及びファンなど（いずれも図示せず）とともにカラムオーブン２内に収容されている。
カラムオーブン２は、カラム１を加熱するためのものであり、分析時にはヒータ及びファンを適宜駆動させる。
【００２１】
試料導入部３は、カラム１内にキャリアガス及び試料ガスを導入するためのものであり、その内部に試料気化室（図示せず）が形成されている。この試料気化室には、液体試料が注入され、試料気化室内で気化された試料が、キャリアガスとともにカラム１内に導入される。また、試料気化室には、ガス供給流路５及びスプリット流路６が連通している。
ガス供給流路５は、試料導入部３の試料気化室内にキャリアガスを供給するための流路である。
【００２２】
スプリット流路６は、スプリット導入法によりカラム１内にキャリアガス及び試料ガスを導入する際に、試料気化室内のガス（キャリアガス及び試料ガスの混合ガス）の一部を所定のスプリット比で外部に排出するための流路である。
【００２３】
検出器４は、例えば、水素炎イオン化検出器（ＦＩＤ）などの各種検出器により構成される。検出器４は、カラム１から導入されるキャリアガスに含まれる各試料成分を順次検出する。
【００２４】
このガスクロマトグラフにおいて試料を測定する際は、分析対象となる試料が試料導入部３に注入される。そして、試料は、試料気化室において気化される。また、試料導入部３の試料気化室には、ガス供給流路５を介してキャリアガスが供給される。
【００２５】
試料気化室内で気化された試料は、キャリアガスとともにカラム１内に導入される。試料に含まれる各試料成分は、カラム１内を通過する過程で分離されて、検出器４に順次導入される。
【００２６】
そして、検出器４において、カラム１から導入されるキャリアガスに含まれる各試料成分が順次検出される。また、検出器４における検出結果に基づいて、クロマトグラムが生成される。
【００２７】
２．制御部及び周辺の部材の具体的構成
図２は、図１のガスクロマトグラフの制御部、及び、その周辺の部材の具体的構成を示したブロック図である。
ガスクロマトグラフは、上記した検出器４に加えて、表示器１１と、記憶部１２と、制御部１３とを備えている。
【００２８】
表示器１１は、本体１（図１参照）に設けられている。詳しくは後述するが、表示器１１は、タッチパネルを含んでいる。すなわち、ガスクロマトグラフでは、表示器１１を用いることにより、作業者が分析を行いながら情報の確認及び入力操作を行うことができるようになっている。
【００２９】
記憶部１２は、例えば、ＲＯＭ（Read Only Memory）及びＲＡＭ（Random Access Memory）などにより構成されている。記憶部１２は、前回データ１２１を記憶している。前回データ１２１は、後述するデータ処理部１３１によって生成されたクロマトグラムのデータであって、前回の分析時に生成されたデータである。
【００３０】
制御部１３は、例えば、ＣＰＵ（Central Processing Unit）を含む構成である。制御部１３は、検出器４及び表示器１１との間で、電気信号の入力又は出力が可能である。制御部１３は、必要に応じて記憶部１２に対するデータの入出力を行う。制御部１３は、ＣＰＵがプログラムを実行することにより、データ処理部１３１及び表示処理部１３２などとして機能する。
【００３１】
データ処理部１３１は、検出器４からの検出信号に基づいて、クロマトグラムを得る。また、ガスクロマトグラフにおいて分析が終了すると、データ処理部１３１で生成されたクロマトグラムのデータは、既存のデータを書き換えるようにして、前回データ１２１として記憶部１２に格納される。
【００３２】
表示処理部１３２は、データ処理部１３１が生成したクロマトグラムのデータに基づいて、表示器１１にクロマトグラムを表示させる処理を行う。また、表示処理部１３は、タッチパネルの操作による表示器１１からの入力信号、及び、記憶部１２の前回データ１２１に基づいて、表示器１１に表示するクロマトグラムを変更する処理を行う。
【００３３】
３．表示画面の画面構成
図３は、基本画面の状態の表示画面１１１の表示態様の一例を示した概略図である。
上記した表示器１１には、タッチパネル式の表示画面１１１が含まれている。表示器１１は、本体１０（図１参照）に備えられており、作業者は、本体１０上で表示画面１１１を確認できる。具体的には、表示器１１は、作業者が操作しやすいように、本体１０の前面に設けられている。また、本体１０の前面には、通常、開閉可能な扉などが設けられている。すなわち、表示器１１は、本体１０の前面において、扉などが配置されるスペースを確保するように、比較的小さなスペースに配置されている。
表示画面１１１は、略矩形状に形成されている。表示画面１１１には、動作表示領域１１２と、第１グラフ領域１１３とが含まれている。
【００３４】
動作表示領域１１２は、表示画面１１１内における上方側に配置されている。動作表示領域１１２は、ガスクロマトグラフにおける各種部品の動作状態を表示するための領域である。例えば、動作表示領域１１２には、カラム１の温度、試料導入部３内の温度及び圧力、試料導入部３内に供給されるキャリアガスの流量、検出器４の温度などの動作状態が表示される。
【００３５】
第１グラフ領域１１３は、表示画面１１１内における下方側に配置されている。第１グラフ領域１１３は、データ処理部１３１によるデータ処理結果をグラフとして表示するための領域であって、具体的には、データ処理部１３１によって生成されたクロマトグラムをリアルタイムで表示するための領域である。クロマトグラムは、横軸を時間、縦軸を信号強度として表示される。
【００３６】
このような表示画面１１１の画面構成が、表示画面１１１の基本画面である。そして、表示処理部１３２は、後述するように、作業者による表示画面１１１へのタッチ操作に基づいて、表示画面１１１の表示内容を変更する。
【００３７】
４．制御部による制御動作、及び、表示画面の表示態様
図４は、制御部１３による処理の一例を示したフローチャートである。
通常、表示器１１の表示画面１１１では、図３に示すように、上記した基本画面が表示されている。そして、データ処理部１３１によって検出器４からの検出信号に基づいてクロマトグラムが生成されると、表示処理部１３２は、第１グラフ領域１１３にそのクロマトグラムをリアルタイムで表示させる（ステップＳ１０１）。
【００３８】
具体的には、表示画面１１１に基本画面が表示された状態では、第１グラフ領域１１３において、データ処理部１３１によって生成されたクロマトグラムであるグラフＡが右から左に移動するように表示される。グラフＡでは、右端側に表示される内容がリアルタイムで生成されるクロマトグラムに対応している。そして、グラフＡにおける右端側に表示された内容は、時間が経つにつれて左方に移動し、さらに時間が経つと第１グラフ領域１１３に表示されなくなる。
【００３９】
このように、表示器１１の表示画面１１１に基本画面が表示されている間は、第１グラフ領域１１３では、データ処理部１３１で生成されるクロマトグラムがグラフＡとしてリアルタイムで表示される。そして、作業者は、このグラフＡを確認することにより、各種分析を行う。
【００４０】
また、表示処理部１３２は、この状態から、第１グラフ領域１１３に対してタッチ操作が行われた場合には（ステップＳ１０２でＹＥＳ）、まず、第１グラフ領域１１３におけるグラフＡの移動を停止して、表示画面１１１を編集モードにする（ステップＳ１０３）。表示画面１１１が編集モードとなった状態では、表示処理部１３２は、後述するように、第１グラフ領域１１３に対するタッチ操作に基づいて、第１グラフ領域１１３の表示内容を変更する。
【００４１】
また、表示処理部１３２は、表示画面１１１が編集モードとなってから、第１グラフ領域１１３に対するタッチ操作が行われずに一定時間が経過し（ステップＳ１０４でＹＥＳ）、かつ、分析がまだ終了していない場合には（ステップＳ１０５でＮＯ）、第１グラフ領域１１３におけるクロマトグラムのリアルタイム表示を再開することにより、表示画面１１１を基本画面に戻す。そして、表示処理部１３２は、ガスクロマトグラフにおける分析が終了した場合には（ステップＳ１０５でＹＥＳ）、表示画面１１１に対する制御動作を終了する。
【００４２】
一方、表示処理部１３２は、表示画面１１１に基本画面が表示された状態から、データ処理部１３１に対するタッチ操作が行われずに（ステップＳ１０２でＮＯ）、表示画面１１１において比較モードを選択するための所定のタッチ操作が行われた場合には（ステップＳ１０６でＹＥＳ）、表示画面１１１を比較モードにする（ステップＳ１０７）。表示画面１１１が比較モードとなった状態では、後述するように、クロマトグラムを表す領域が２つ表示される（２画面表示される）。
【００４３】
そして、表示処理部１３２は、表示画面１１１が比較モードとなった状態から、表示画面１１１において比較モードを解除するための所定のタッチ操作が行われた場合であって（ステップＳ１０８でＹＥＳ）、かつ、分析がまだ終了していない場合には（ステップＳ１０５でＮＯ）、クロマトグラムを１画面表示に戻し、第１グラフ領域１１３におけるクロマトグラムのリアルタイム表示を再開することにより、表示画面１１１を基本画面に戻す。また、表示処理部１３２は、ガスクロマトグラフにおける分析が終了した場合には（ステップＳ１０５でＹＥＳ）、表示画面１１１に対する制御動作を終了する。
なお、表示画面１１１における所定のタッチ操作とは、例えば、表示画面１１１に表示される図示しないボタンをタッチする操作などである。
【００４４】
図５は、編集モードの状態の表示画面１１１の表示態様の一例であって、拡大画面１１４を表示する例を示した概略図である。また、図６は、表示画面１１１の表示態様の一例であって、クロマトグラムを縮小表示する例を示した概略図である。
図３、図５及び図６を用いて、編集モードの状態の表示画面１１１の表示態様について説明する。
【００４５】
例えば、図３に示すように、表示画面１１１において基本画面が表示される状態において、グラフＡの表示内容によっては、その詳細をさらに確認しなければ、精度の高い分析を行うことができない場合がある。このような場合に対応するため、表示処理部１３２は、第１グラフ領域１１３に対するタッチ操作に基づいて、表示画面１１１を編集モードにして、以下のように第１グラフ領域１１３の表示内容を変更する。
【００４６】
具体的には、表示処理部１３２は、表示画面１１１を編集モードにした状態において、作業者によって、第１グラフ領域１１３の所定部分に対するタッチが一定時間続けられると（第１グラフ領域１１３に対して長押しされると）、図５に示すように、表示画面１１１に拡大画面１１４を表示させる。
【００４７】
拡大画面１１４は、第１グラフ領域１１３に重ねて表示されている。拡大画面１１４では、一定時間続けてタッチされた部分を中心とする第１グラフ領域１１３の一定領域が拡大表示される。
なお、図５では、図３に示す領域Ｂに対するタッチが続けられることにより、編集モードとなった場合の表示画面１１１を示している。すなわち、図５では、図３に示す領域Ｂが拡大画面１１４において拡大表示されている。
【００４８】
さらに、表示処理部１３２は、この状態から、拡大画面１１４に対してタッチ操作が行われた場合には、そのタッチ操作に基づいて、拡大画面１１４内の表示内容を変更する。
【００４９】
例えば、表示処理部１３２は、作業者によって、拡大画面１１４の一部分をタッチした状態から、そのタッチ部分をずらすようにしてスライド操作が行われると、そのスライド方向に拡大画面１１４内の表示を移動させる。また、表示処理部１３２は、作業者によって、拡大画面１１４における任意の２箇所をタッチした状態から、そのタッチ部分を拡げるようにしてスライド操作（ピンチアウト）が行われると、拡大画面１１４内の表示をさらに拡大させる。また、表示処理部１３２は、作業者によって、拡大画面１１４における任意の２箇所をタッチした状態から、そのタッチ部分を狭めるようにしてスライド操作（ピンチイン）が行われると、拡大画面１１４内の表示を縮小させる。
【００５０】
また、例えば、図３に示すように、表示画面１１１において基本画面が表示される状態において、クロマトグラムの全体を確認したい場合がある。このような場合に対応するため、表示処理部１３２は、第１グラフ領域１１３に対するタッチ操作に基づいて、表示画面１１１を編集モードにして、以下のように第１グラフ領域１１３の表示内容を変更する。
【００５１】
具体的には、表示処理部１３２は、表示画面１１１を編集モードにした状態において、作業者によって、第１グラフ領域１１３における任意の２箇所をタッチした状態から、そのタッチ部分を狭めるようにしてスライド操作（ピンチイン）が行われると、図６に示すように、縮小したグラフＣを第１グラフ領域１１３内に表示する。グラフＣは、表示画面１１１が編集モードになるまでの間において、データ処理部１３１によって生成されたクロマトグラムの全体を表している。
【００５２】
また、図示しないが、表示処理部１３２は、表示画面１１１を編集モードにした状態において、作業者によって、第１グラフ領域１１３における任意の２箇所をタッチした状態から、そのタッチ部分を拡げるようにしてスライド操作（ピンチアウト）が行われた場合には、図３に示すグラフＡからさらに拡大したグラフを第１グラフ領域１１３に表示させる。
【００５３】
そして、表示処理部１３２は、このような第１グラフ領域１１３に対するタッチ操作が行われずに一定時間が経過した場合には、表示画面１１１の編集モードを終了する。そして、分析がまだ終了していない場合には、図３に示すように、第１グラフ領域１１３におけるクロマトグラムのリアルタイム表示を再開することにより、表示画面１１１を基本画面に戻す。
【００５４】
図７〜図１０は、比較モードの状態の表示画面１１１の表示態様の一例を示した概略図である。具体的には、図７は、表示画面１１１が比較モードとなった直後の状態を示している。また、図８は、第１グラフ領域１１３において、分析中のクロマトグラムに対して前回分析時のクロマトグラムを重ねて表示する状態を示している。また、図９は、第２グラフ領域１１５において、クロマトフラムの一部が選択される状態を示している。また、図１０は、第１グラフ領域１１３において、分析中のクロマトグラムに対して前回分析時のクロマトグラムの一部を重ねて表示する状態を示している。
図７〜図１０を用いて、比較モードの場合の表示画面１１１の表示態様について説明する。
【００５５】
例えば、表示画面１１１において基本画面が表示される状態において、グラフＡの表示内容によっては、前回分析時のデータと比較することにより、精度の高い分析を行うことができる場合がある。このような場合に対応するため、表示処理部１３２は、表示画面１１１に対するタッチ操作に基づいて、表示画面１１１を比較モードにして、以下のように表示画面１１１の表示内容を変更する。
【００５６】
図７に示すように、比較モードとなった表示画面１１１では、下方側に上記した第１グラフ領域１１３が表示されており、上方側に第２グラフ領域１１５が表示される。
第１グラフ領域１１３では、上記したように、データ処理部１３１によって生成されたクロマトグラムであるグラフＡが右から左に移動するように表示される。すなわち、第１グラフ領域１１３では、クロマトグラムがリアルタイム表示されている。
【００５７】
第２グラフ領域１１５は、前回分析時に生成されたクロマトグラムを表示させるための領域であって、記憶部１２に格納されている前回データ１２１に対応するグラフＤが表示される。また、第２グラフ領域１１５では、第１グラフ領域１１３に表示されるグラフＡに対応するように、グラフＤが右から左に移動するように表示される。すなわち、表示画面１１１が比較モードとなった直後は、表示画面１１１では、クロマトグラムを表す領域が２つ表示されており、各領域において、クロマトグラムが移動するように表示されている。
【００５８】
作業者は、この状態の表示画面１１１を確認することにより、データ処理部１３１によってリアルタイムで生成されるクロマトグラムと、前回分析時に生成されたクロマトグラムとを比較する。
【００５９】
そして、この状態から、表示処理部１３２は、表示画面１１１に対するタッチ操作がさらに行われると、そのタッチ操作に基づいて表示内容を変更する。
具体的には、表示処理部１３２は、表示画面１１１を比較モードにした状態において、作業者によって、第１グラフ領域１１３又は第２グラフ領域１１５に対してタッチ操作が行われると、まず、第１グラフ領域１１３におけるグラフＡの移動、及び、第２グラフ領域１１５におけるグラフＤの移動を停止する。
【００６０】
そして、表示処理部１３２は、作業者によって、第２グラフ領域１１５の一部分をタッチした状態から、そのタッチ部分を下方にずらすようにしてスライド操作（ドラッグ）が行われると、図８に示すように、第１グラフ領域１１３において、グラフＡにグラフＥを重ねる。グラフＥは、第２グラフ領域１１５に表示されるグラフＤをコピーしたグラフである。
【００６１】
すなわち、第１グラフ領域１１３において、分析中のクロマトグラムであるグラフＡと、前回分析時のクロマトグラムであるグラフＥとが、横軸（時間軸）を対応付けた状態で、重ねて表示される。
このとき、グラフＡとグラフＥとを異なる色で表示させるなどして、互いに区別させることが好ましい。
【００６２】
そして、作業者は、この状態の第１グラフ領域１１３から、分析中であるクロマトグラムにおけるピークと、前回分析時のクロマトグラムにおけるピークとの対応関係を確認することにより、再現性を評価する。
【００６３】
また、表示処理部１３２は、表示画面１１１が比較モードになった状態から、作業者によって、第２グラフ領域１１５における所定の２箇所がタッチされると、図９に示すように、そのタッチされた２箇所を時間範囲とする領域Ｆを選択する。さらに、表示処理部１３２は、図１０に示すように、第１グラフ領域１１３において、グラフＡにグラフＧを重ねる。グラフＧは、第２グラフ領域１１５において領域Ｆ内に表示されるグラフＤの部分を選択してコピーしたグラフである。
【００６４】
すなわち、第１グラフ領域１１３において、分析中のクロマトグラムであるグラフＡと、前回分析時のクロマトグラムの一部分であるグラフＧとが、横軸（時間軸）を対応付けた状態で、重ねて表示される。
このとき、グラフＡとグラフＧとを異なる色で表示させるなどして、互いに区別させることが好ましい。
【００６５】
そして、作業者は、この状態の第１グラフ領域１１３から、分析中であるクロマトグラムにおけるピークと、前回分析時のクロマトグラムにおけるピークとの対応関係を確認することにより、再現性を評価する。
【００６６】
また、ガスクロマトグラフにおける分析が終了すると、図２に示すように、データ処理部１３１は、生成したクロマトグラムを新しい前回データ１２１として、既存の前回データ１２１を書き換えるようにして記憶部１２に格納する。
【００６７】
５．作用効果
（１）本実施形態では、ガスクロマトグラフにおいて、表示器１１は、本体１０に設けられている。また、表示器１１には、タッチパネル式の表示画面１１１が含まれている。そして、表示処理部１３２は、検出器４からの検出信号に基づいて、表示画面１１１における第１グラフ領域１１３内にクロマトグラムを表示させるとともに、第１グラフ領域１１３に対するタッチ操作に基づいて、第１グラフ領域１１３内の表示を変更する。
【００６８】
そのため、作業者は、本体１０に設けられたタッチパネル式の表示画面１１１に対してタッチ操作を行うのみで、表示画面１１１における第１グラフ領域１１３内の表示を変更しながら、その表示画面において変更後の第１グラフ領域１１３を確認できる。
そのため、第１グラフ領域１１３内に表示されるクロマトグラムの詳細な確認作業を、本体１０において容易に行うことができる。
【００６９】
（２）また、本実施形態では、図５に示すように、表示処理部１３２は、表示画面１１１における第１グラフ領域１１３に対するタッチ操作に基づいて、拡大画面１１４を表示させる。同様に、図６に示すように、表示処理部１３２は、表示画面１１１における第１グラフ領域１１３に対するタッチ操作に基づいて、第１グラフ領域１１３に表示されるクロマトグラムを縮小表示させる。
【００７０】
そのため、第１グラフ領域１１３内に表示されるクロマトグラムにおける注目すべき部分を拡大表示させることで、その部分の詳細を本体１０において容易に確認できる。また、第１グラフ領域１１３内に表示されるクロマトグラムを縮小表示させることで、クロマトグラムの全体を本体１０において容易に確認できる。
【００７１】
（３）また、本実施形態では、図８及び図１０に示すように、表示処理部１３２は、表示画面１１１における第２グラフ領域１１５に対するタッチ操作に基づいて、第１グラフ領域１１３に表示されているクロマトグラムに対して、前回分析時のクロマトグラムを重ねて表示させる。
【００７２】
そのため、第１グラフ領域１１３に表示されている分析中のクロマトグラムと、前回分析時のクロマトグラムとの比較を、本体１０において容易に行うことができる。
【００７３】
（４）また、本実施形態では、図４に示すように、表示処理部１３２は、表示画面１１１が基本画面となる状態から、表示画面１１１における第１グラフ領域１１３に対するタッチ操作が行われたことに基づいて（ステップＳ１０２でＹＥＳ）、クロマトグラムの変化を停止させて、表示画面１１１を編集モードにする（ステップＳ１０３）。そして、表示画面１１１が編集モードとなった状態から、表示画面１１１における第１グラフ領域１１３に対するタッチ操作が行われたことに基づいて、第１グラフ領域１１３内の表示を変更させる。
【００７４】
そのため、表示画面１１１を基本画面にすることで、リアルタイムでクロマトグラムを表示できながら、クロマトグラムの詳細な確認作業を行う際には、表示画面１１１を編集モードにすることで、クロマトグラムの変化を停止させて確認しやすくすることができる。
【００７５】
（５）また、本実施形態では、図４に示すように、表示処理部１３２は、表示画面１１１が編集モードとなった状態において、第１グラフ領域１１３に対するタッチ操作がない状態で一定時間が経過し（ステップＳ１０４でＹＥＳ）、かつ、分析がまだ終了していない場合には（ステップＳ１０５でＮＯ）、第１グラフ領域１１３におけるクロマトグラムのリアルタイム表示を再開することにより（ステップＳ１０１）、表示画面１１１を基本画面に戻す。
【００７６】
そのため、第１グラフ領域１１３内において、停止したクロマトグラムが長時間表示されることを抑制できる。また、クロマトグラムの変化を再開させるための操作を行わなくてもよいため、確認作業がさらに容易になる。
【００７７】
６．変形例
以上の説明では、本発明のクロマトグラフは、ガスクロマトグラフに適用されるとして説明したが、本発明のクロマトグラフは、液体クロマトグラフに適用されてもよい。
【００７８】
また、以上の説明では、表示画面１１１が比較モードとなった場合に、第２グラフ領域１１５には、前回分析時のクロマトグラムが表示されるとして説明したが、第２グラフ領域１１５には、複数の過去の分析時に生成されたクロマトグラムから選択された一のクロマトグラムが表示されてもよい。具体的には、記憶部１２に、過去の分析時に生成されたクロマトグラムのデータが複数記憶され、表示処理部１３２は、表示画面１１１が比較モードとなった場合に、第２グラフ領域１１５において、これらの複数のデータから選択された一のデータに基づくクロマトグラムを表示させてもよい。
【００７９】
また、以上の説明では、グラフ領域内の表示の変更は、グラフ領域に対する特定のタッチ操作に基づいて行われるとして説明したが、上記した特定のタッチ操作以外のタッチ操作に基づいて、グラフ領域内の表示が変更されてもよい。すなわち、グラフ領域内に表示されるクロマトグラムを拡大表示、縮小表示、又は、別のクロマトグラムと重ねて表示させる際のタッチ操作は、長押し、ピンチアウト、ピンチイン、ドラッグなどに限られない。例えば、表示画面の同じ位置を続けて２回タッチする操作（タップ）などの他の各種タッチ操作に基づいて、グラフ領域内の表示を変更することが可能である。
【符号の説明】
【００８０】
４    検出器
１０    本体
１１    表示器
１３    制御部
１１１    表示画面
１１３    第１グラフ領域
１１５    第２グラフ領域
１３２    表示処理部
【図１】
2017115443.tif 000003
【図２】
2017115443.tif 000004
【図３】
2017115443.tif 000005
【図４】
2017115443.tif 000006
【図５】
2017115443.tif 000007
【図６】
2017115443.tif 000008
【図７】
2017115443.tif 000009
【図８】
2017115443.tif 000010
【図９】
2017115443.tif 000011
【図１０】
2017115443.tif 000012
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
本体と、
前記本体に設けられ、試料を検出して検出信号を出力する検出器と、
前記本体に設けられ、タッチパネル式の表示画面を有する表示器と、
前記検出器からの検出信号に基づいて、前記表示画面内に配置され、クロマトグラムをリアルタイムで表示させるための領域であるグラフ領域内にクロマトグラムをリアルタイムで表示させるとともに、前記表示画面における前記グラフ領域に対するタッチ操作に基づいて、当該グラフ領域内の表示を変更する表示処理部とを備えることを特徴とするクロマトグラフ。
【請求項２】
前記表示処理部は、前記表示画面における前記グラフ領域に対するタッチ操作に基づいて、当該グラフ領域内に表示されているクロマトグラムを拡大表示又は縮小表示させることを特徴とする請求項１に記載のクロマトグラフ。
【請求項３】
前記表示処理部は、前記表示画面における前記グラフ領域に対するタッチ操作に基づいて、当該グラフ領域内に表示されているクロマトグラムと別のクロマトグラムとを重ねて表示させることを特徴とする請求項１に記載のクロマトグラフ。
【請求項４】
前記表示処理部は、前記検出器からの検出信号に基づいて、前記表示画面における前記グラフ領域内にクロマトグラムをリアルタイムで変化させながら表示させるとともに、前記表示画面における前記グラフ領域に対するタッチ操作に基づいて、クロマトグラムの変化を停止させ、その後の当該グラフ領域に対するタッチ操作に基づいて、当該グラフ領域内の表示を変更することを特徴とする請求項１に記載のクロマトグラフ。
【請求項５】
前記表示処理部は、前記表示画面における前記グラフ領域内のクロマトグラムの表示を停止させた後、当該グラフ領域に対するタッチ操作が一定時間行われない場合に、クロマトグラムの変化を再開させることを特徴とする請求項４に記載のクロマトグラフ。
【国際調査報告】
2017115443.tif 000013
2017115443.tif 000014